(57)【要約】【課題】  昇降台の設置及び昇降にやぐらを必要とせず、しかも昇降台への荷物の積み降ろしが能率良く行える高層建築用足場の構築方法及び解体方法を提供する。【解決手段】  建築物の外壁又は躯体に沿って足場を所定段数架設し、足場の所定縦列の各踏板をそれぞれ取り外して上下に連通する昇降台の昇降空間を形成し、昇降空間と対向する建築物の外壁又は躯体に昇降台を上下方向へ案内するガイドレールを垂直に設置し、ガイドレールに昇降台を昇降自在に取り付け、昇降台をガイドレールに沿って昇降させる駆動手段を設け、昇降台で足場用資材を架設済みの足場の上方へ運搬して昇降空間の両側に次段の足場を組み立て、これを順に繰り返して足場を階上方向へ構築するようにした。【選択図】図６
2007205043.tif 000002
【特許請求の範囲】
【請求項１】
建築物の外壁又は躯体に沿って足場を所定段数架設し、足場の所定縦列の各踏板をそれぞれ取り外して上下に連通する昇降台の昇降空間を形成し、昇降空間と対向する建築物の外壁又は躯体に昇降台を上下方向へ案内するガイドレールを垂直に設置し、ガイドレールに昇降台を昇降自在に取り付け、昇降台をガイドレールに沿って昇降させる駆動手段を設け、昇降台で足場用資材を架設済みの足場の上方へ運搬して昇降空間の両側に次段の足場を組み立て、これを順に繰り返して足場を階上方向へ構築するようにしたことを特徴とする、高層建築用足場の構築方法。
【請求項２】
昇降台の駆動手段が、昇降空間と対向する建築物の外壁又は躯体に垂直のラックを設置し、昇降台にモータで回動するギヤを備え、ギヤをラックに歯合してギヤを回動させて昇降台を昇降するようにしたものである、請求項１記載の高層建築用足場の構築方法。
【請求項３】
ガイドレールとラックが所定長さのものを連結できるようにしたものであって、架設済みの足場の上方に次段の足場架設の為にガイドレールとラックを継ぎ足し、昇降台を架設済みの足場の上方まで上昇させて足場用資材を運搬して次段の足場を組み立てるようにした、請求項２記載の高層建築用足場の構築方法。
【請求項４】
建築物が建築中のもので、足場を未建築の高さまで架設し、昇降台が建築済みの階の上方まで上昇できるようにした、請求項１〜３いずれか記載の高層建築用足場の構築方法。
【請求項５】
建築物の外壁又は躯体に沿って足場を所定段数架設し、足場の所定縦列の各踏板をそれぞれ取り外して上下に連通する昇降台の昇降空間を形成し、昇降空間と対向する建築物の外壁又は躯体に昇降台を上方方向へ案内するガイドレールを垂直に設置し、ガイドレールに昇降台を昇降自在に取り付け、昇降台をガイドレールに沿って昇降させる駆動手段を設け、昇降台で足場用資材を架設済みの足場の上方へ運搬して昇降空間の両側に次段の足場を組み立て、これを順に繰り返して足場を階上方向へ構築し、構築した足場で作業をした後、最上段の足場を解体して昇降台で解体した足場用資材を下方へ運搬し、次に下段の足場を解体して昇降台で下方へ運搬し、これを順に繰り返して足場を階下方向へ解体するようにしたことを特徴とする、高層建築用足場の解体方法。
【請求項６】
昇降台の駆動手段が、昇降空間と対向する建築物の外壁又は躯体に垂直のラックを設置し、昇降台にモータで回動するギヤを備え、ギヤをラックに歯合してギヤを回動させて昇降台を昇降するようにしたものである、請求項５記載の高層建築用足場の解体方法。
【請求項７】
ガイドレールとラックが所定長さのものを連結及び分解できるようにしたものであって、構築時は架設済みの足場の上方に次段の足場架設の為にガイドレールとラックを継ぎ足し、昇降台を架設済みの足場の上方まで上昇させて足場用資材を運搬して次段の足場を組み立てるようにし、解体時は解体した足場用資材を下方へ運搬した後その解体した段のガイドレールとラックを分解し、その後下段の足場を解体するようにした、請求項６記載の高層建築用足場の解体方法。
【請求項８】
建築物の外壁又は躯体に沿って構築した複数段の足場で作業をした後、足場の所定縦列の各踏板をそれぞれ取り外して上下に連通する昇降台の昇降空間を形成し、昇降空間と対向する建築物の外壁又は躯体に昇降台を上下方向へ案内するガイドレールを垂直に設置し、ガイドレールに昇降台を昇降自在に取り付け、昇降台をガイドレールに沿って昇降させる駆動手段を設け、最上段の足場を解体して昇降台で解体した足場用資材を下方へ運搬し、次に下段の足場を解体して昇降台で下方へ運搬し、これを順に繰り返して足場を階下方向へ解体するようにしたことを特徴とする、高層建築用足場の解体方法。
【請求項９】
昇降台の駆動手段が、昇降空間と対向する建築物の外壁又は躯体に垂直のラックを設置し、昇降台にモータで回動するギヤを備え、ギヤをラックに歯合してギヤを回動させて昇降台を昇降するようにしたものである、請求項８記載の高層建築用足場の解体方法。
【請求項１０】
ガイドレールとラックが所定長さのものを連結及び分解できるようにしたものであって、形成した昇降空間と対向する建築物の外壁又は躯体に構築済みの足場の段数分連結したガイドレールとラックを設置し、解体した足場用資材を下方へ運搬した後その解体した段のガイドレールとラックを分解し、その後下段の足場を解体するようにした、請求項９記載の高層建築用足場の解体方法。
【発明の詳細な説明】
【技術分野】
【０００１】
本発明は、建築現場における高層建築物の外壁又は躯体に沿って架設される建築用足場の構築方法及び解体方法に関する。
【背景技術】
【０００２】
従来、ビル，アパートの改修等において作業用に架設される足場は、一般的にクレーンで資材を持ち上げて構築されている。クレーンが搬入できない場所では、一部組み立てた足場の各段の１つの踏板を取り外して垂直方向の空間を形成し、同空間に垂直方向の一対のレールを設けてレールの最上部にウインチを吊下した吊りビームを架設し、レールと接して昇降する昇降台をウインチのワイヤーロープと接続して昇降台で足場の構成部材を運搬し、足場を上方へ順に構築及び下方へ順に解体している（例えば特許文献１参照）。ところで、前記特許文献１の技術では、昇降台を昇降させるウインチが頂部の吊りビームに設置されている。従って、重量のあるウインチを上方まで作業者が運搬する必要があり、労力を伴う問題があった。しかも、資材の運搬時に足場に荷重が作用する構造であるから少量しか運搬が行えず、また小型のウインチでは昇降台に載せる資材の量が限られて効率が悪いものであった。
【０００３】
そこで、建築物の外壁又は躯体に沿って足場を所定段数架設し、建築物の屋上にやぐらを設置し、やぐら直下の足場の踏板を取り外して昇降空間を形成し、昇降空間の最下段の足場根絡み上方に昇降台を配置し、昇降空間から離れた最下段の足場根絡み上に巻き上げ用のウインチを設置し、ウインチのワイヤーロープを滑車に通して上方に張り、ワイヤーロープを屋上のやぐらの滑車を通り昇降空間の下方に延ばして昇降台と接続し、ガイドワイヤーを屋上のやぐらから最下段の足場根絡みに渡って緊張し、昇降台の後ろの両側でガイドワイヤーを摺るように拘束する保持手段を昇降台に設け、昇降台で足場用資材を架設済みの足場の上方へ運搬して昇降空間の両側に次段の足場を組み立て、これを順に繰り返して足場を階上方向へ構築するようにした技術が提案されている。しかしなら、前記技術ではやぐらの設置に手間を要する問題があった。やぐらの設置は熟練者による作業が必要であり、設置強度等を十分に勘案しながら慎重に組み立てなければならず、今日の熟練者不足には対応できない。
【０００４】
また、このやぐらを使用する昇降台に代えて、昇降空間にガイドレールとラックを垂直に設置し、モータで駆動するギヤを昇降台に備え、ギヤをラックに歯合してギヤを回動させて昇降できるようにした工事用エレベータの技術が特許文献２で提案されている。しかし、この工事用エレベータは足場の外方に設置されるものであるから、昇降台への資材等の荷物の積み降ろしが前後の一方向のみに制限され、積み降ろし作業が能率良く行えなかった。
【特許文献１】特開２０００−２７４０６９号公報
【特許文献２】特開２０００−３１３５７８号公報
【発明の開示】
【発明が解決しようとする課題】
【０００５】
本発明が解決しようとする課題は、従来のこれらの問題点を解消し、昇降台の設置及び昇降にやぐらを必要とせず、しかも昇降台への荷物の積み降ろしが能率良く行える高層建築用足場の構築方法及び解体方法を提供することにある。
【課題を解決するための手段】
【０００６】
かかる課題を解決した本発明の構成は、
１）  建築物の外壁又は躯体に沿って足場を所定段数架設し、足場の所定縦列の各踏板をそれぞれ取り外して上下に連通する昇降台の昇降空間を形成し、昇降空間と対向する建築物の外壁又は躯体に昇降台を上下方向へ案内するガイドレールを垂直に設置し、ガイドレールに昇降台を昇降自在に取り付け、昇降台をガイドレールに沿って昇降させる駆動手段を設け、昇降台で足場用資材を架設済みの足場の上方へ運搬して昇降空間の両側に次段の足場を組み立て、これを順に繰り返して足場を階上方向へ構築するようにしたことを特徴とする、高層建築用足場の構築方法
２）  昇降台の駆動手段が、昇降空間と対向する建築物の外壁又は躯体に垂直のラックを設置し、昇降台にモータで回動するギヤを備え、ギヤをラックに歯合してギヤを回動させて昇降台を昇降するようにしたものである、前記１）記載の高層建築用足場の構築方法
３）  ガイドレールとラックが所定長さのものを連結できるようにしたものであって、架設済みの足場の上方に次段の足場架設の為にガイドレールとラックを継ぎ足し、昇降台を架設済みの足場の上方まで上昇させて足場用資材を運搬して次段の足場を組み立てるようにした、前記２）記載の高層建築用足場の構築方法
４）  建築物が建築中のもので、足場を未建築の高さまで架設し、昇降台が建築済みの階の上方まで上昇できるようにした、前記１）〜３）いずれか記載の高層建築用足場の構築方法
５）  建築物の外壁又は躯体に沿って足場を所定段数架設し、足場の所定縦列の各踏板をそれぞれ取り外して上下に連通する昇降台の昇降空間を形成し、昇降空間と対向する建築物の外壁又は躯体に昇降台を上方方向へ案内するガイドレールを垂直に設置し、ガイドレールに昇降台を昇降自在に取り付け、昇降台をガイドレールに沿って昇降させる駆動手段を設け、昇降台で足場用資材を架設済みの足場の上方へ運搬して昇降空間の両側に次段の足場を組み立て、これを順に繰り返して足場を階上方向へ構築し、構築した足場で作業をした後、最上段の足場を解体して昇降台で解体した足場用資材を下方へ運搬し、次に下段の足場を解体して昇降台で下方へ運搬し、これを順に繰り返して足場を階下方向へ解体するようにしたことを特徴とする、高層建築用足場の解体方法
６）  昇降台の駆動手段が、昇降空間と対向する建築物の外壁又は躯体に垂直のラックを設置し、昇降台にモータで回動するギヤを備え、ギヤをラックに歯合してギヤを回動させて昇降台を昇降するようにしたものである、前記５）記載の高層建築用足場の解体方法
７）  ガイドレールとラックが所定長さのものを連結及び分解できるようにしたものであって、構築時は架設済みの足場の上方に次段の足場架設の為にガイドレールとラックを継ぎ足し、昇降台を架設済みの足場の上方まで上昇させて足場用資材を運搬して次段の足場を組み立てるようにし、解体時は解体した足場用資材を下方へ運搬した後その解体した段のガイドレールとラックを分解し、その後下段の足場を解体するようにした、前記６）記載の高層建築用足場の解体方法
８）  建築物の外壁又は躯体に沿って構築した複数段の足場で作業をした後、足場の所定縦列の各踏板をそれぞれ取り外して上下に連通する昇降台の昇降空間を形成し、昇降空間と対向する建築物の外壁又は躯体に昇降台を上下方向へ案内するガイドレールを垂直に設置し、ガイドレールに昇降台を昇降自在に取り付け、昇降台をガイドレールに沿って昇降させる駆動手段を設け、最上段の足場を解体して昇降台で解体した足場用資材を下方へ運搬し、次に下段の足場を解体して昇降台で下方へ運搬し、これを順に繰り返して足場を階下方向へ解体するようにしたことを特徴とする、高層建築用足場の解体方法
９）  昇降台の駆動手段が、昇降空間と対向する建築物の外壁又は躯体に垂直のラックを設置し、昇降台にモータで回動するギヤを備え、ギヤをラックに歯合してギヤを回動させて昇降台を昇降するようにしたものである、前記８）記載の高層建築用足場の解体方法
１０）  ガイドレールとラックが所定長さのものを連結及び分解できるようにしたものであって、形成した昇降空間と対向する建築物の外壁又は躯体に構築済みの足場の段数分連結したガイドレールとラックを設置し、解体した足場用資材を下方へ運搬した後その解体した段のガイドレールとラックを分解し、その後下段の足場を解体するようにした、前記９）記載の高層建築用足場の解体方法
にある。
【発明の効果】
【０００７】
本発明によれば、やぐらを必要としないから、熟練者でなくても昇降設備を容易に設置することができる。また、足場の踏板を取り外した空間を昇降台が昇降するから、昇降台の両側に荷物の積み降ろしが可能になり、作業が能率良く行えて足場の構築及び解体の工期を短縮できる。
【発明を実施するための最良の形態】
【０００８】
本発明では、ガイドレールは昇降空間に渡って一度に設置する方法と、足場の構築と並行して段階的に継ぎ足して延設していく方法があり、建築物の規模等に応じて任意に選ばれる。以下、本発明の各実施例を図面に基づいて具体的に説明する。
【実施例１】
【０００９】
図１〜６に示す実施例１は、高層マンションの外壁の改修に本発明を適用した例である。図１，２は実施例１の足場の正面図、図３は実施例１の昇降設備の側面図、図４は実施例１の昇降設備の平面図、図５，６は実施例１の足場の構築を示す説明図である。図中、１は足場根絡み、１ａはジャッキベース、２は昇降台、２ａは扉、２ｂはモータ、２ｃはギヤ、２ｄは車輪、３はガイドレール、３ａは頂部控え、４はラック、５はセンサ、５ａはリミットスイッチ、６は昇降空間、７は足場、７ａは立枠、７ｂは筋交い、７ｃは踏板、７ｄはシート、８は操作盤、Ａは建築物である。
【００１０】
実施例１の昇降台２は、両側に扉２ａを備え、上部に減速機付きのモータ２ｂ及びモータ２ｂの出力軸に軸着したギヤとラック４の間に歯合するギヤ２ｃを備え、背面側にガイドレール３を走行する車輪２ｄを複数備え、停止中に下降しないように定位置を保持するブレーキ装置（図示せず）を備えている。
【００１１】
まず、図５（ａ）に示すように建築物Ａの周囲の地表にジャッキベース１ａで足場根絡み１を敷設して１〜５段の足場７を通常の方法で組み立て、図５（ｂ）に示すように昇降空間６を形成すべき足場７の縦列の踏板７ｃ及び筋交い７ｂを全て取り外して昇降空間６を形成する。次に、図１，２に示すように昇降空間６と対向する建築物Ａの壁面位置に所定長さのガイドレール３とラック４を最上段の足場７より高い長さ分連結して設置し、昇降空間６の最下位置に昇降台２を配置して車輪２ｄをガイドレール３に嵌入するとともにギヤ２ｃをラック４と歯合する。昇降台２にはセンサ５を取り付け、立枠７ａの上端にセンサ５と近接して昇降台２を停止させるリミットスイッチ５ａを取り付け、立枠７ａの最下位置に地表で昇降台２を操作する操作盤８を取り付ける。
【００１２】
次に、図６（ａ）に示すように昇降台２に構築すべき足場７の資材（立枠７ａ，筋交い７ｂ，踏板７ｃ，シート７ｄ）を積み込み、モータ２ｂを作動させて昇降台２を上昇させる。昇降台２が架設済みの足場７の上方まで上昇するとリミットスイッチ５ａでモータ２ｂが停止し、架設済みの両側の足場７上に資材を取り出して昇降空間６の両側に足場７を組み立てる。これを順に繰り返して図６（ｂ）に示すように足場７を階上方向へ構築していく。建築物Ａの改修が終了すると、最上段の足場７から順に解体して昇降台２で下方へ運搬し、構築と逆の手順で解体を行う。
【００１３】
実施例１によれば、やぐらを必要としないから、熟練者でなくても昇降設備を容易に設置することができた。また、足場７の踏板７ｃを取り外した空間を昇降台２が昇降するから、昇降台２の両側に資材等の荷物の積み降ろしが可能になり、作業が能率良く行えて足場７の構築及び解体の工期を短縮できるようになった。
【実施例２】
【００１４】
図７，８に示す実施例２は、従来の方法で構築された足場の解体に本発明を適用した例である。図７，８は実施例２の足場の解体を示す説明図である。
【００１５】
実施例２では、図７（ａ）に示すように昇降空間６を形成すべき足場７の縦列の踏板７ｃ及び筋交い７ｂを全て取り外して昇降空間６を形成し、昇降空間６と対向する建築物Ａの壁面位置に所定長さのガイドレール３とラック４を足場７の高さ分連結して設置し、図７（ｂ）に示すように昇降空間６の最下位置に実施例１と同じ構造の昇降台２を配置して車輪２ｄをガイドレール３に嵌入するとともにギヤ２ｃをラック４と歯合する。昇降台２にはセンサ５を取り付け、立枠７ａの上端にセンサ５と近接して昇降台２を停止させるリミットスイッチ５ａを取り付け、立枠７ａの最下位置に地表で昇降台２を操作する操作盤８を取り付ける。
【００１６】
図８（ａ）に示すようにモータ２ｂを作動させて昇降台２を最上段まで上昇させて両側の足場７を解体した足場用資材（立枠７ａ，筋交い７ｂ，踏板７ｃ，シート７ｄ）を昇降台２に積み込み、下方へ運搬する。これを繰り返して図８（ｂ）に示すように上位から下位の足場７を順に解体して運搬していく。このように従来の方法で構築された足場も本発明により迅速且つ安全に解体できる。その他、符号、構成は実施例１と同じである。
【００１７】
図９に示すのは、建築中の建築物に本発明を適用した実施例１の他の例である。図９は実施例１の他の例の足場の構築を示す説明図である。図９に示す実施例１の他の例では、図９（ａ）に示すように建築前の建築物Ａの基礎の周囲に一段目の足場７を架設した後、建築物Ａの１階を建築し、次いで図９（ｂ）に示すように建築した１階の上方に足場７をさらに架設して２階を構築し、その後実施例１と同じように昇降空間６を形成すべき足場７の縦列の踏板７ｃ及び筋交い７ｂを全て取り外して昇降台２を昇降させる。このように、新築では足場７を未建築の高さまで架設し、昇降台２を建築済みの階の上方まで上昇させて足場用資材を運搬して足場の構築と建築物Ａの建築を並行して行えるようにしている。その他、符号、構成、作用効果は実施例１と同じである。
【産業上の利用可能性】
【００１８】
本発明は、クレーンが搬入できない場所の高層ビル等に安全且つ迅速に足場を構築及び解体するために好適に用いられる。
【図面の簡単な説明】
【００１９】
【図１】実施例１の足場の正面図である。
【図２】実施例１の足場の正面図である。
【図３】実施例１の昇降設備の側面図である。
【図４】実施例１の昇降設備の平面図である。
【図５】実施例１の足場の構築を示す説明図である。
【図６】実施例１の足場の構築を示す説明図である。
【図７】実施例２の足場の解体を示す説明図である。
【図８】実施例２の足場の解体を示す説明図である。
【図９】実施例１の他の例の足場の構築を示す説明図である。
【符号の説明】
【００２０】
１  足場根絡み
１ａ  ジャッキベース
２  昇降台
２ａ  扉
２ｂ  モータ
２ｃ  ギヤ
２ｄ  車輪
３  ガイドレール
３ａ  頂部控え
４  ラック
５  センサ
５ａ  リミットスイッチ
６  昇降空間
７  足場
７ａ  立枠
７ｂ  筋交い
７ｃ  踏板
７ｄ  シート
８  操作盤
Ａ  建築物
【図１】
2007205043.tif 000003
【図２】
2007205043.tif 000004
【図３】
2007205043.tif 000005
【図４】
2007205043.tif 000006
【図５】
2007205043.tif 000007
【図６】
2007205043.tif 000008
【図７】
2007205043.tif 000009
【図８】
2007205043.tif 000010
【図９】
2007205043.tif 000011